(57)【要約】【課題】ケースの背面に電圧極の電源端子の電線挿入孔と中性極の電源端子の電線挿入孔を上下一列に配列して成る配線器具において、電圧極の電源端子の電線挿入孔と中性極の電源端子の電線挿入孔の距離を小さくでき、また、電源端子の極性がわかりやく、ケース背面に付着した水滴が電源端子間を導通させることによる短絡事故を防止する配線器具を提供する。【解決手段】中性極と電圧極の隣り合う電源端子３，６の電線挿入孔４，７間に溝部１０を斜め下方向に向けて通過し、ケース２の側面２ｂまで延びるように形成する。【選択図】図３
2007287588.tif 000002
【特許請求の範囲】
【請求項１】
ケースに少なくとも一以上の中性極の電源端子の電線挿入孔と電圧極の電源端子の電線挿入孔とを上下方向に一列に設けて成る配線器具において、前記中性極の電源端子の電線挿入孔と前記電圧極の電源端子の電線挿入孔との間に溝部を通過するように形成したことを特徴とする配線器具。
【請求項２】
前記溝部に前記電源端子の電線挿入孔に挿入接続する電線の芯線の長さを示すストリップゲージを設けたことを特徴とする請求項１に記載の配線器具。
【請求項３】
前記溝部は斜め下方向に向けてケースの側面まで延びるように形成したことを特徴とする請求項１又は請求項２に記載の配線器具。
【発明の詳細な説明】
【技術分野】
【０００１】
本発明は、異極の電源端子の電線挿入孔を近接して設けた配線器具に関する。
【背景技術】
【０００２】
一般にコンセントやスイッチなどの埋め込み式の配線器具は、分電盤の分岐ブレーカの二次側から配線される分岐配線を接続するために速結式の電源端子が用いられ、ケースの背面に電源端子の電線挿入孔が複数設けられている。この電線挿入孔は中性極の電源端子の電線挿入孔と電圧極の電源端子の電線挿入孔が上下一対となって左右に離して配置されている（例えば、特許文献１参照。）。
【０００３】
【特許文献１】特開平１０−１４４４２４号公報
【発明の開示】
【発明が解決しようとする課題】
【０００４】
このように、従来の配線器具は、極性が異なる電源端子の電線挿入孔はケースの左右位置に配置されるので、結露などでケースに付着した水滴により異極の電源端子間が導通する虞はない。しかしながら、電子部品が組み込まれる配線器具においては少ないスペースに電子部品を組み込めるようにするために全ての電源端子の電線挿入孔を上下一列に配置する場合があり、この場合、極性が異なる電源端子の配置は絶縁距離の問題から電線挿入孔の配置間隔が大きくなって大型化したり、また、電源端子の極性が区分けられていないためにわかりづらい問題があり、また、結露などによる水滴が滴り落ちて極性が異なる電源端子間が導通して短絡する虞があった。
【課題を解決するための手段】
【０００５】
本発明は、請求項１に記載の発明によれば、ケースに少なくとも一以上の中性極の電源端子の電線挿入孔と電圧極の電源端子の電線挿入孔とを上下方向に一列に設けて成る配線器具において、中性極の電源端子の電線挿入孔と電圧極の電源端子の電線挿入孔との間に溝部を通過するように形成したことを特徴とする。
【０００６】
請求項２に記載の発明によれば、請求項１に記載の配線器具において、溝部に電源端子の電線挿入孔に挿入接続する電線の芯線の長さを示すストリップゲージを設けたことを特徴とする。
【０００７】
請求項３に記載の発明によれば、請求項１又は請求項２に記載の配線器具において、溝部は斜め下方向に向けてケースの側面まで延びるように形成したことを特徴とする。
【発明の効果】
【０００８】
本発明は、請求項１に記載の発明によれば、中性極の電源端子の電線挿入孔と電圧極の電源端子の電線挿入孔間の絶縁距離を確保しながら中性極の電源端子の電線挿入孔と電圧極の電源端子の電線挿入孔の距離を小さくできるので電源端子を小さいスペースに収納することができ、また、電源端子の極性が区分けされてわかりやすいという効果がある。
【０００９】
請求項２に記載の発明によれば、請求項１に記載の発明の効果に加えて、ストリップゲージの機能を付加することができ、また、電線挿入孔の近くにストリップゲージが設けられるのでわかりやすいという効果がある。
【００１０】
請求項３に記載の発明によれば、請求項１又は請求項２に記載の発明の効果に加えて、ケースに付着した水滴が溝部を介してケース側面に排出されるので水滴による短絡事故を防止することができるという効果がある。
【発明を実施するための最良の形態】
【００１１】
ケースの背面に中性極の電源端子の電線挿入孔と電圧極の電源端子の電線挿入孔を上下一列に配列して成る配線器具において、中性極の電源端子の電線挿入孔と電圧極の電源端子の電線挿入孔との間に溝部を斜め下方向に向けて通過してケースの側面まで延びるように形成し、溝部に電源端子の電線挿入孔に挿入接続する電線の芯線の長さを示すストリップゲージを設ける。
【実施例１】
【００１２】
本発明に係る配線器具の実施例１を図１の添付図面に基づいて説明する。
【００１３】
配線器具１のケース２の背面２ａに２個の中性極の電源端子３，３の電線挿入孔４，４と２個の電圧極の電源端子６，６の電線挿入孔７，７が上下方向に一列に設けられ、各電線挿入孔４，４，７，７の内側には端子板（図示せず）と鎖錠バネ（図示せず）が収納されるとともに、電線挿入孔４，４，７，７の近傍に同じ極性の電源端子３，３，６，６で共通化された解除ボタン孔５，８と、解除ボタン孔５，８の内側に鎖錠バネによる電線９の鎖錠を解除する解除部材（図示せず）が設けられ、分電盤の分岐ブレーカ（図示せず）の二次側から配線される分岐配線９を接続するための速結式の電源端子を構成している。
【００１４】
電源端子は、上側２個の電線挿入孔４，４の電源端子３，３が中性極であり、下側２個の電線挿入孔７，７の電源端子６，６が電圧極であり、極性が異なる電源端子の隣り合う電線挿入孔間、即ち、隣り合う中性極の電源端子３の電線挿入孔４と電圧極の電源端子６の電線挿入孔７との間に溝部１０が水平方向に通過するように形成されている。
【００１５】
このように中性極の電源端子３の電線挿入孔４と電圧極の電源端子６の電線挿入孔７の間に溝部１０を形成したことで、絶縁性能を確保しながら中性極の電源端子３の電線挿入孔４と電圧極の電源端子６の電線挿入孔７の距離を小さくできるので電源端子３，３，６，６を小さいスペースに収納することができ、また、電源端子３，３，６，６の極性が区分けされてわかりやすくなっている。
【００１６】
尚、ケース２の背面２ａの左側には電源端子３，３，６，６の電線挿入孔４，４，７，７に挿入接続する電線９の芯線９ａの長さを示すストリップゲージ１１が設けられ、電線９をストリップゲージ１１にあてがい、被覆部９ｂの剥ぎ取る長さを確認できるようになっている。
【００１７】
尚、本実施例においては溝部１０は直線形状であるが、溝部１０は直線形状に限定するものではなく、曲線形状であっても問題ない。また、電線挿入孔４，４，７，７の形成面はケース２の背面２より１段高くなっているが同じ平面上に形成しても問題ない。
【実施例２】
【００１８】
本発明に係る配線器具の実施例２を図２の添付図面に基づいて説明する。尚、実施例１と同一部分については同一符号を付して説明を省略する。
【００１９】
本実施例では、溝部１０の幅を電源端子３，３，６，６の電線挿入孔４，４，７，７に挿入接続する電線９の芯線９ａの直径より少し広くした幅狭部１０ａと、電線９の被覆部９ｂの直径より少し広くした幅広部１０ｂとで形成し、幅狭部１０ａの長さを電源端子３，３，６，６の電線挿入孔４，４，７，７に挿入接続する電線９の芯線９ａの適正な長さに形成して溝部１０をストリップゲージ１１としている点が実施例１と異なっている。
【００２０】
尚、溝部がストリップゲージとして機能すれば形状に限定はなく、例えば、溝部の長さを電源端子に接続する芯線の長さと略同一に形成したり、溝部に芯線の長さを示す模様や印や説明の表示を設けることでストリップゲージとしてもよい。
【実施例３】
【００２１】
本発明に係る配線器具の実施例３を図３及び図４の添付図面に基づいて説明する。尚、実施例１又は実施例２と同一部分については同一符号を付して説明を省略する。
【００２２】
本実施例では、ケース２の背面２ａに中性極の電源端子３，３の電線挿入孔４，４と電圧極の電源端子６，６の電線挿入孔７，７が上下方向に一列に設けられた配線器具１において、隣り合う中性極の電源端子３の電線挿入孔４と電圧極の電源端子６の電線挿入孔７との間を通過するように設けられた溝部１０が斜め下方向にケース２の側面２ｂまで延びるように形成している点が実施例１又は実施例２と異なっている。
【００２３】
これにより、何らかの原因によりケース２の背面２ａに水滴が付着した場合でも水滴は溝部１０を伝わってケース２の側面２ｂに排出されるので短絡事故を防止することができる。
【００２４】
尚、図４は実施例２と同様に溝部１０をストリップゲージ１１としており、溝部１０は電線９の芯線９ａの直径より少し広くした幅狭部１０ａと、電線９の被覆部９ｂの直径より少し広くした幅広部１０ｂと、電線９の芯線９ａの直径より小さい幅小部１０ｃとで形成し、幅狭部１０ａの長さを電源端子３，３，６，６の電線挿入孔４，４，７，７に挿入接続する電線９の芯線９ａの適正な長さに形成している。
【図面の簡単な説明】
【００２５】
【図１】本発明の実施例１に係る配線器具を背面から見た斜視図である。
【図２】本発明の実施例２に係る配線器具を背面から見た斜視図である。
【図３】本発明の実施例３に係る配線器具を背面から見た斜視図である。
【図４】本発明の実施例３に係る配線器具の変形実施例を示す斜視図である。
【符号の説明】
【００２６】
１    配線器具
２    ケース
２ａ    ケース背面
２ｂ    ケース側面
３    中性極の電源端子
４    電線挿入孔
６    電圧極の電源端子
７    電線挿入孔
９    電線
１０    溝部
【図１】
2007287588.tif 000003
【図２】
2007287588.tif 000004
【図３】
2007287588.tif 000005
【図４】
2007287588.tif 000006